(57)【特許請求の範囲】
【請求項１】
かんな胴の軸方向に形成した複数個の刃物収納溝と、該刃物収納溝内に収納される裏刃と、遠心固定板と、該遠心固定板を外周方向に付勢するバネとを有し、前記裏刃を介して前記遠心固定板の遠心力で刃物を圧接して固定する構造であって、前記刃物収納溝は、第１側面と、前記第１側面に対向しかんな胴の外周面の開口部に向かうにつれて狭くなる方向に傾けた第２側面と、裏刃の底面と当接する基準面とを持ち、前記遠心固定板は、前記刃物収納溝の前記開口部に向かうにつれて相互間隔が小さくなる一対の対向斜面で、前記第２側面に当接する一方の斜面と、前記裏刃に当接するもう一方の斜面とを持ち、前記裏刃は、前記遠心固定板に当接する面と、前記刃物の裏面に係合する係合部と、前記刃物収納溝の前記第１側面に対向する面と、前記刃物収納溝の前記基準面と当接する底面とを持つ構成をしたかんな盤において、前記裏刃に前記基準面に当接可能な調整ねじを螺設し、前記第１側面と裏刃に当接する前記遠心固定板の前記斜面とからなる角度θ１をかんな胴の外周方向に頂点を持つ鋭角とし、角度θ１と、前記遠心固定板の一対の対向斜面の角度θ２との関係をθ１＜θ２としたことを特徴とするかんな盤。
【発明の詳細な説明】
【０００１】
【発明の属する技術分野】
本発明は、遠心力により刃物を固定する刃物固定装置の刃物の突出量を調整可能とした刃物固定装置に関するものである。
【０００２】
【従来の技術】
従来技術を図４を用いて説明する。従来の刃物固定装置に登録実用新案第２５３９９０６号公報がある。
【０００３】
かんな胴１１の外周上に外周方向に開口部が狭い凹形状の刃物収納溝１２を設け、刃物収納溝１２内に刃物１３、刃物１３を保持する裏刃１４と、裏刃１４と当接する遠心固定板１５を設け、裏刃１４には調整ねじ１７を貫通させて、刃物収納溝１２の底面１２ｃに螺設する。また、調整ねじ１７の外周に設けたばね１８で裏刃１４を外周方向へ付勢させ、裏刃１４の座ぐり面１４ｄは調整ねじ１７の頭部に当接し、刃物１３のセット高さが位置決めされる。
【０００４】
刃物１３の固定方法は裏刃１４を挿入して調整ねじ１６を底面１２ｃに螺設し、刃物１３を取付ける。ばね１８で裏刃１４の座ぐり面１４ｄは調整ねじ１６の頭部に当接する。ばね１６で遠心固定板１５は押し上げられ、遠心固定板１５は裏刃１４を刃物１３側へ押圧し、刃物１３が仮固定される。この状態で、調整ねじ１７を螺進退させて上下に移動させることで、かんな胴１１から突出する刃物１３の突出量を調整する。
【０００５】
刃物１３の突出量の調整はかんな胴１１を図示しない割出し装置により位置決めし、図示しないかんな盤の基準面１９にゲージ２０を取付ける。次に、ゲージ２０下面に刃物１３の刃先が接するように調整ねじ１７を回して調整する。その後、かんな胴１１を回転して刃物１３を固定したのち、基準面１９から刃先の高さをダイヤルゲージで測定し、刃物１３左右両端の突出量の誤差が大きい場合は、再度前記作業を繰り返して調整していた。
【０００６】
【発明が解決しようとする課題】
従来技術では、裏刃１４に付着した切粉を掃除するために、かんな胴１１から裏刃１４を外す場合、調整ねじ１７を外さなければならない。そのため、裏刃１４をかんな胴１１に取付ける際、再度上記した調整ねじ１７の調整作業をしなければならず、非常に面倒で作業効率を大幅に低下させていた。
【０００７】
本発明の目的は、上記した従来技術の問題点を解消し、再調整を不要とする刃物固定装置を提供することである。
【０００８】
【課題を解決するための手段】
上記目的は、かんな胴の軸方向に形成した複数個の刃物収納溝と、該刃物収納溝内に収納される裏刃と、遠心固定板と、該遠心固定板を外周方向に付勢するバネとを有し、前記裏刃を介して前記遠心固定板の遠心力で刃物を圧接して固定する構造であって、前記刃物収納溝は、第１側面と、前記第１側面に対向しかんな胴の外周面の開口部に向かうにつれて狭くなる方向に傾けた第２側面と、裏刃の底面と当接する基準面とを持ち、前記遠心固定板は、前記刃物収納溝の前記開口部に向かうにつれて相互間隔が小さくなる一対の対向斜面で、前記第２側面に当接する一方の斜面と、前記裏刃に当接するもう一方の斜面とを持ち、前記裏刃は、前記遠心固定板に当接する面と、前記刃物の裏面に係合する係合部と、前記刃物収納溝の前記第１側面に対向する面と、前記刃物収納溝の前記基準面と当接する底面とを持つ構成をしたかんな盤において、前記裏刃に前記基準面に当接可能な調整ねじを螺設し、前記第１側面と裏刃に当接する前記遠心固定板の前記斜面とからなる角度θ１をかんな胴の外周方向に頂点を持つ鋭角とし、角度θ１と、前記遠心固定板の一対の対向斜面の角度θ２との関係をθ１＜θ２とすることにより達成される。
【０００９】
【発明の実施の形態】
本発明の実施形態を図１〜図３により説明する。図１はかんな胴の断面図、図２は図１で遠心固定板を押し下げ刃物を取り出した状態を示す部分断面図、図３は固定板を取り外す状態を示す部分断面図である。
【００１０】
図において、かんな胴１の軸方向に刃物収納溝２を複数個（本実施形態では２個）外周上に形成する。刃物収納溝２は第１側面２ａと、この第１側面２ａに対面し、かつ、かんな胴１の軸心から外周面の開口部２ｅに向かうにつれて、第１側面２ａとの間隔が狭くなる傾斜面を持つ第２側面２ｂ、基準面２ｃ、基準面２ｃより１段低い底面２ｄとからなり、ほぼ凹形状に形成されている。なお、第１側面２ａと基準面２ｃおよび第２側面２ｂと底面２ｄは直角に形成している。
【００１１】
刃物収納溝２中には、刃物３、刃物３を保持する裏刃４と、裏刃４と当接する遠心固定板５を設けている。刃物３は第１側面２ａに当接している。裏刃４には刃物３の裏面の係合溝３ａに当接し、刃物３を位置決めする係合部４ａ、下部に第１側面２ａと対向する側面４ｂ、基準面２ｃに当接する底面４ｃ、刃物３の受け座４ｄ、後述する遠心固定板５の凹部５ｃと所定位置で当接する凸部４ｅを備えている。遠心固定板５は開口部２ｅに向かうにつれて、相互間隔が小さくなる一対の斜面５ａ，５ｂを持ち、一方の斜面５ａは裏刃４に摺動自在に当接し、他方の斜面５ｂは第２側面２ｂに当接している。遠心固定板５の底面と底面２ｄとの間にはばね６が配設され、遠心固定板５がかんな胴1の外周方向へ飛び出すように付勢している。
【００１２】
裏刃４の鉛直方向に形成しためねじ部４ｆには複数個の調整ねじ７を螺設し、基準面２ｃに当接する。調整ねじ７は裏刃４の底面４ｃから突出し、調整ねじ７を右に回すと、裏刃４の底面４ｃからの突出量が大きくなり、逆に左に回すと、裏刃４の底面４ｃからの突出量が小さくなる。刃物３の突出量は調整ねじ７の突出量と基準面２ｃからの寸法で規定される。
【００１３】
裏刃背面角θ１（第１側面２ａと遠心固定板５の斜面５ａとからなる角度）は外周方向に頂点を持つ鋭角とし、また、裏刃背面角θ１と遠心固定板背面角θ２（遠心固定板５の一対の斜面５ａ，５ｂの角度）は、遠心固定板５の遠心力で遠心固定板５が外方に飛び出したとき、遠心固定板５が裏刃４を基準面２ｃ側と刃物３側へ押圧するように、θ１とθ２との関係をθ１＜θ２としている。
【００１４】
上記構成において、刃物３の取付け、取外し方法について説明する。まず、刃物３をかんな胴１から取り外す場合は、図２に示すように、遠心固定板５を押し下げると、遠心固定板５の凹部５ｃと裏刃４の凸部４ｅが当接し、裏刃４が遠心固定板５側に傾く。これにより、裏刃４と第1側面２ａとの間に隙間ができ、この状態で刃物３を取り外すことができる。図３に示すように，裏刃４をかんな胴１から取り外す場合には，図３に示すように，裏刃４を第１側面２ａ側へ移動し外周方向へ取り出す。
【００１５】
刃物３を取付ける場合は、図２のように、遠心固定板５を押し下げると、遠心固定板５の凹部５ｃと凸部４ｅが当接して、裏刃４が傾き第１側面２ａとの空間から刃物３の係合溝３ａを係合部４ａに取付ける。遠心固定板５はばね６により押し上げられ、遠心固定板５は裏刃４を第１側面２ａ側と基準面２ｃ側を押圧することで、裏刃４は元に位置に戻り、裏刃４と第1側面２ａとの間の隙間がなくなり、刃物３が仮固定される。図示しないかんな盤本体の基準面（テーブル）にゲージを取付ける。次に、ゲージ下面に刃物３の刃先が接するように調整ねじ６を回して調整する。最後に、前記かんな盤本体にかんな胴1を取付け、かんな胴１を回転させると、遠心固定板５は遠心力でさらにかんな胴１の外周方向に飛び出し、これにより、遠心固定板５はさらに裏刃４を第１側面２ａ側に、調整ねじ７は基準面２ｃ側に押圧され、刃物３は裏刃４を介し所定の位置で完全に固定される。一度、裏刃４の調整を行えば、裏刃４を外しても再調整を不要とすることができる。
【００１６】
【発明の効果】
本発明によれば、裏刃を刃物収納溝の基準面に押圧する構造とし、裏刃に螺設した調整ねじで突出量を調整したことにより、裏刃をかんな胴から取り外し、再度取付けても刃物の突出量は変わらず、一度突出量を調整すれば、再調整を不要とすることができる。
【図面の簡単な説明】
【図１】本発明の実施形態を示すかんな胴の断面図である。
【図２】刃物を取付け、取り外した状態を示すかんな胴の部分断面図である。
【図３】裏刃を取り外した状態を示すかんな胴の一部断面図である。
【図４】従来技術を示すかんな胴の断面図である。
【符号の説明】
１…かんな胴、３…刃物、４…裏刃、４ｆ…めねじ部，５…遠心固定板、７…調整ねじ。
【図１】
0003755279.tif 000002
【図２】
0003755279.tif 000003
【図３】
0003755279.tif 000004
【図４】
0003755279.tif 000005